(57)【要約】      （修正有）【課題】自動販売機の外扉に損傷を与えることなく追加装備品を装着することが可能な自動販売機を提供する。【解決手段】本体キャビネット１の前面を開閉する片開き式の外扉２を備えた自動販売機であって、前記外扉２の上下端縁にそれぞれ係合して当該外扉２の外表面に敷設され、かつ、追加装備品（例えば、装飾体１０）が装着される取付構造体２０を備えてなることにより、追加装備品を装着するにあたり、取付構造体２０を外扉２の上下端縁に係合させたうえで、この取付構造体２０に追加装備品を装着させればよく、追加装備品の装着が簡単であるとともに追加装備品の交換の際にも外扉に損傷（塗装の剥がれ）をなくすことが可能である。【選択図】図１
2012033133.tif 000002
【特許請求の範囲】
【請求項１】
本体キャビネットの前面を開閉する片開き式の外扉を備えた自動販売機において、前記外扉の扉枠の上下端縁にそれぞれ係合して当該外扉の外表面に敷設され、かつ、追加装備品が装着される取付構造体を備えてなることを特徴とする自動販売機。
【請求項２】
請求項１に記載の自動販売機において、取付構造体は上下方向に延在し、かつ、追加装備品を支持する支持構造体と、この支持構造体の上縁部に連結されるとともに外扉の扉枠に固着される上部固定片および前記支持構造体の下縁部に連結されるとともに外扉の扉枠に固着される下部固定片からなり、前記下部固定片は弾性体により形成してなることを特徴とする自動販売機。
【請求項３】
請求項１に記載の自動販売機において、取付構造体は上下方向の略中間位置を外扉の扉枠に係止してなることを特徴とする自動販売機。
【請求項４】
請求項３に記載の自動販売機において、支持構造体における商品展示室を形成する外扉の窓穴の窓枠に対応する箇所にフック片を設け、当該フック片を前記窓枠に形成した係止孔に係止してなることを特徴とする自動販売機。
【請求項５】
請求項１に記載の自動販売機において、追加装備品は合成樹脂により取付構造体を覆うように形成された立体的な装飾体であることを特徴とする自動販売機。
【請求項６】
請求項１に記載の自動販売機において、取付構造体に係止固定される追加装備品は電光掲示板であることを特徴とする自動販売機。
【発明の詳細な説明】
【技術分野】
【０００１】
本発明は、自動販売機の外表面に追加装備品を装着可能な自動販売機に関する。
【背景技術】
【０００２】
この種の自動販売機として缶入り飲料，ペットボトル入り飲料等の商品を販売する一般的な自動販売機は断熱筐体としてなる本体キャビネットの前面に片開き式の外扉が設けられ、当該外扉には額縁状の窓を形成して商品展示室が形成されている。この商品展示室の前面は透明パネルで覆われて商品展示室に展示された複数の商品見本を外部から視認できるようにされている。このような自動販売機においては商品展示室を有する外扉の前面部分が自動販売機自身の存在感や宣伝効果に大きな役割を果たしており、既設の自動販売機にも最新の外観を与えることがしばしば行われる。この場合、自動販売機に最新の外観を与えるために外扉そのものを交換するのは得策ではなく、外扉の外表面の一部のパネルを取外して新たなパネルを装着することが知られている（例えば特許文献１）。
【０００３】
また、自動販売機の外扉内に電光表示装置を組付けてニュースなどを流し、自動販売機を情報発信媒体として利用することも知られている（例えば、特許文献２）。
【先行技術文献】
【特許文献】
【０００４】
【特許文献１】特開２００８−１８６１９８号公報
【特許文献２】特開２００８−９０２４０号公報
【発明の概要】
【発明が解決しようとする課題】
【０００５】
ところで、自動販売機は設置環境により自動販売機の外観を重視する設置場所には前述した特許文献１に開示された自動販売機が設置され、情報発信を重視する設置場所には前述した特許文献２に開示された自動販売機が設置される。このように設置環境に応じた自動販売機を提供する場合には自動販売機の機種が増加して自動販売機メーカーにおいては製造ラインや在庫管理が煩雑になるとともに付加価値のついた自動販売機はコストが上昇する。一方、自動販売機の外観や情報発信の付加価値のついた自動販売機を必要としないユーザーも存在し、このユーザーには付加価値のついた自動販売機はコストが高くて受け入れられず、付加価値のつかない自動販売機を提供しなければならない。また、設置場所の環境の変化により付加価値の異なる自動販売機に代える場合には自動販売機自体を交換せねばならない。かかる点、自動販売機に新たな外観を与えるための装飾体や電光掲示装置を追加装備品（オプション）として用意し、これらを接着剤や両面テープなどにより扉に装着すれば自動販売機の機種を標準の一機種に抑えることができる。しかしながら、追加装備品を、接着剤を用いて装着する場合には接着剤が乾くまでに時間を要するとともに次回の交換の際に外扉に損傷（例えば、外扉の外表面の塗装の剥がれ）を与え、また、両面テープの場合には簡単に剥がれてしまうという課題を有する。
【０００６】
そこで、本発明は上記の点に鑑みなされたものであり、その目的は前記課題を解決し、自動販売機の外扉に損傷を与えることなく追加装備品を装着することが可能な自動販売機を提供することにある。
【課題を解決するための手段】
【０００７】
上記目的を達成するために請求項１に係る発明は、本体キャビネットの前面を開閉する片開き式の外扉を備えた自動販売機において、前記外扉の上下端縁にそれぞれ係合して当該外扉の外表面に敷設され、かつ、追加装備品が装着される取付構造体を備えてなることを特徴とする。
【０００８】
また、請求項２に係る発明は、請求項１に記載の自動販売機において、取付構造体は上下方向に延在し、かつ、追加装備品を支持する支持構造体と、この支持構造体の上縁部に連結されるとともに外扉の扉枠に固着される上部固定片および前記支持構造体の下縁部に連結されるとともに外扉の扉枠に固着される下部固定片からなり、前記下部固定片は弾性体により形成してなることを特徴とする。
【０００９】
また、請求項３に係る発明は、請求項１に記載の自動販売機において、取付構造体は上下方向の略中間位置を外扉の扉枠に係止してなることを特徴とする。
また、請求項４に係る発明は、請求項３に記載の自動販売機において、支持構造体における商品展示室を形成する外扉の窓穴の窓枠に対応する箇所にフック片を設け、当該フック片を前記窓枠に形成した係止孔に係止してなることを特徴とする。
【００１０】
また、請求項５に係る発明は、請求項１に記載の自動販売機において、追加装備品は合成樹脂により取付構造体を覆うように形成された立体的な装飾体であることを特徴とする。
【００１１】
また、請求項６に係る発明は、請求項１に記載の自動販売機において、取付構造体に係止固定される追加装備品は電光掲示板であることを特徴とする。
【発明の効果】
【００１２】
本発明の請求項１に係る発明は、本体キャビネットの前面を開閉する片開き式の外扉を備えた自動販売機において、前記外扉の扉枠の上下端縁にそれぞれ係合して当該外扉の外表面に敷設され、かつ、追加装備品が装着される取付構造体を備えてなることにより、追加装備品を装着するにあたり、取付構造体を外扉の上下端縁（例えば、上下の扉枠）に係合させたうえで、この取付構造体に装飾体を装着させればよい。したがって、追加装備品を簡単に装着することができるとともに追加装備品を交換する場合にも外扉の外表面の表面塗装を剥がすような損傷を与えることがないという効果を有する。
【００１３】
また、本発明の請求項２に係る発明は、請求項１に記載の自動販売機において、取付構造体は上下方向に延在し、かつ、追加装備品を支持する支持構造体と、この支持構造体の上縁部に連結されるとともに外扉の扉枠に固着される上部固定片および前記支持構造体の下縁部に連結されるとともに外扉の扉枠に固着される下部固定片からなり、前記下部固定片は弾性体により形成してなることにより、高さ寸法の異なる自動販売機に共通に用いることができるという効果を有する。
【００１４】
また、本発明の請求項３に係る発明は、請求項１に記載の自動販売機において、取付構造体は上下方向の略中間位置を外扉の扉枠に係止してなることにより、取付構造体（追加装備品）が外扉の外表面から浮き上がるのを防止することができ、追加装備品を取外そうとする悪戯を抑制することができる。
【００１５】
また、本発明の請求項４に係る発明は、請求項３に記載の自動販売機において、支持構造体における商品展示室を形成する外扉の窓穴の周壁をなす窓枠に対応する箇所にフック片を設け、当該フック片を前記窓枠に形成した係止孔に係止してなることにより、商品展示室を形成する外扉の窓穴の周壁である窓枠が自動販売機の正面からは目立たない位置に存在するので、支持構造体のフック片を係止する係止孔も目立つことがなく、追加装備品を装着しない場合にも自動販売機の外観を損なうことがないという効果を有する。
【００１６】
また、本発明の請求項５に係る発明は、請求項１記載の自動販売機において、追加装備品を合成樹脂により取付構造体を覆うように形成された立体的な装飾体とすることにより、外扉の外表面に対して前方側に突出する態様であたかも三次元的に浮き出ているような印象を与える、つまり、外扉に対して新たな外観を与えることができ、また、立体的な装飾体を合成樹脂の押し出しにより飲料メーカーを象徴する模様や飲料容器の模様などの象徴的な模様のデザインとすることにより自動販売機を最新のデザインに改良することができるという効果を有する。
【００１７】
また、本発明の請求項６に係る発明は、請求項１記載の自動販売機において、取付構造体に係止固定される追加装備品を電光掲示板とすることにより、自動販売機自体を交換することなく当該自動販売機を情報発信媒体として利用することができる。
【図面の簡単な説明】
【００１８】
【図１】本発明の実施の形態１である自動販売機の全体構成を示し、（ａ）は外扉の前面部分に追加装備品を装着した斜視図、（ｂ）は（ａ）から追加装備品を分解した状態の斜視図である。
【図２】図１の外扉の前面部分に追加装備品を装着するための取付構造体を示し、（ａ）は取付構造体の分解斜視図、（ｂ）は取付構造体を構成する支持構造体を組立状態を示す斜視図である。
【図３】図２の取付構造体の上部側および下部側を拡大して示すために途中（中間）を切断した拡大斜視図である。
【図４】図１の外扉の前面部分に追加装備される追加装備品を取付構造体とともに示す斜視図である。
【図５】図２の取付構造体の外扉への組付けを示し、（ａ）は取付構造体の上部側の拡大斜視図、（ｂ）は取付構造体の下部側の拡大斜視図である。
【図６】図２の取付構造体を外扉に組付けた状態を示し、（ａ）は取付構造体の上部側の拡大斜視図、（ｂ）は取付構造体の下部側の拡大斜視図である。
【図７】本発明の実施の形態２である自動販売機の主要部である取付構造体の構成を示し、（ａ）は取付構造体の部分斜視図、（ｂ）は（ａ）のＡ部（フック片）の拡大図、（ｃ）は（ａ）のＢ部（下部固定片）の拡大図である。
【図８】図７の下部固定片を支持構造体から取外した分解斜視図である。
【図９】図１に示したＡ−Ａ線に対応する部分の断面図である。
【発明を実施するための形態】
【００１９】
以下、本発明における実施の形態である自動販売機を図面に基づいて説明する。
図１は本発明の実施の形態１である自動販売機の全体構成を示す。図において、１は前面が開放した断熱筐体として形成され、標準の外形寸法からなる本体キャビネットである。この本体キャビネット１の庫内は不図示の断熱仕切壁により左右方向に複数の商品収納室に区分され、各商品収納室には缶入り飲料，ペットボトル飲料等の商品を収容するとともにその下端に後述する商品選択ボタンの操作により商品を搬出する商品払出機構を有する商品収納ラックが収設されている。また、各商品収納室の下部には当該各商品収納室を冷却もしくは加熱して商品収納ラックに収容した商品を冷却・加熱する冷却／加熱ユニットが配設されている。そして、本体キャビネット１の前面開口は片開き式の断熱内扉（不図示）により閉塞されている。
【００２０】
前記本体キャビネット１の前面には正面視左端側に配設された不図示のヒンジ機構により開閉自在な片開き式の外扉２が設けられている。この外扉２は背面側が開放された薄い箱形の扉枠により形成されている。この外扉２の前面の上部域には商品展示室３が設けられている。この商品展示室３はその前面側が透明パネル４で覆われ、背面側が不図示の中扉により覆われている。前記商品展示室３内には上下方向に複数段、この実施の形態では３段に配設された商品展示台にそれぞれ個別に載置された商品見本５が展示されている。また、前記商品見本５に対応して透明パネル４の前面には商品選択ボタン６が配設されている。なお、商品展示室３内には不図示の照明光源が配設されている。
【００２１】
前記外扉２の上下方向略中間部であって外扉２の正面視右側領域には接客部７が設けられ、この接客部７には硬貨投入口７１、紙幣挿入口７２、返却レバー７３、投入金額，庫内温度，販売中，準備中等の各種情報をディスプレイに表示する販売情報表示部７４、電子マネーのアンテナ部７５が組付けられている。また、外扉２における上下方向略中間部であって右端側（反ヒンジ機構側）にはシリンダー錠付きの主ロック装置８が設けられ、前記外扉２における下部領域には硬貨返却口２ａ、商品販売口２ｂが設けられている。そしてまた、外扉２のヒンジ機構側（図１における正面視左側端部領域）には外扉２の下端から上端まで連続して延在する追加装備品、この実施の形態においては立体的な装飾体１０が後述する取付構造体２０により装着されている。
【００２２】
前記装飾体１０は外扉２のヒンジ機構側の外表面に追加装備されてなり、合成樹脂の成型品としてなる。この装飾体１０は、図４に示すように、底面が開放した薄い箱型（横断面略コ字状）に形成されている。前記装飾体１０の左側壁１１は鉛直線に沿った直線状の平面をなす一方、右側壁１２は凹状をなすように湾曲面として形成されており、それぞれの側壁１１，１２にはねじ挿通穴１３が形成されている。また、装飾体１０の上下両端の縁部にはそれぞれ凹部１４，１５が形成され、この凹部１４，１５は図４よりも図５を参照すると見て取れる。前記装飾体１０の表面には飲料メーカーを象徴する模様や飲料容器の模様などの象徴的な模様が印刷、若しくは押し出しにより立体的に形成されている。前記装飾体１０を外扉２に装着した場合、当該装飾体１０は外扉２の外表面（前面）に対して前方側に突出する態様であたかも三次元的に浮き出ているような印象を与える。この装飾体１０は図２に示す取付構造体２０を介して外扉２の外表面に装着される。
【００２３】
前記取付構造体２０は、図２に示すように、ベース部材２０１と取付部材２０２とを組み合わせてなる支持構造体２１、上部固定片２２、および下部固定片２３からなり、これらの各部材は鋼板製になる。前記ベース部材２０１は平板を折り曲げて全体として中空の四角柱状をなし、外扉２の外表面に密着する基台部２０１１が平面として形成されている。このベース部材２０１は前記装飾体１０の左側壁１１（図４参照）に対応する側壁面が鉛直線に沿った直線状の平面をなし、前記装飾体１０の右側壁１２（図４参照）に対応する側壁面が凹状の湾曲面をなす。この場合、ベース部材２０１の前記装飾体１０の右側壁１２に対応する側壁面を凹状の湾曲面として形成するために次のように形成される。すなわち、図３に拡大して示した斜視図から理解できるように、ベース部材２０１には上下方向に複数の切り込みを入れて該側壁を上下方向に複数に分割したうえで適宜折り曲げ、その際それぞれの折り曲げ高さを変えることにより当該側壁面が全体として凹状をなすように形成される。また、ベース部材２０１における基台部２０１１の上端縁には切欠２０１２が形成され、基台部２０１１の下部には係合穴２０１３が開口されている。
【００２４】
前記ベース部材２０１とともに支持構造体２１を構成する取付部材２０２は短冊状の平板を図２に示した形状に折り曲げて形成され、その上端部には係合穴２０２１が形成されている。この取付部材２０２はベース部材２０１の中空部に挿入され、その際上端部に形成した係合穴２０２１がベース部材２０１の切欠２０１２に臨むように位置決め（図３参照）したうえでベース部材２０１に溶接により固着される。この取付部材２０２はベース部材２０１の補強材としても機能する。なお、ベース部材２０１における装飾体１０の左右側壁１１，１２に形成したねじ挿通穴１３に対応する箇所にはねじ穴２０１４が設けられているものである。
【００２５】
前記上部固定片２２は、図３に示すように、平坦な基板部２２１と、この基板部２２１の前方側から下方に延在するとともに先端にフックを備えた係合爪２２２、および基板部２２１の背面側に鉛直に折り曲げて形成された固着部２２３とからなる。前記上部固定片２２の基板部２２１における前後方向の幅、すなわち、係合爪２２２と固着部２２３との間の幅は外扉２における階段状の上部扉枠２Ａ（図５、図６参照）の幅よりも僅かに大きく形成され、前記基板部２２１には係合穴２２１１が形成されている。また、前記係合爪２２２は前記取付部材２０２の係合穴２０２１に嵌合する大きさを有し、前記固着部２２３にはねじ挿通穴２２３１を有する。一方、下部固定片２３は、図３に示すように、略「く」字状をなすとともに前方側に一段高くなるように段差をつけた舌片状の係合爪２３１が折り曲げ形成され、後方側にねじ挿通穴２３２１を有する固着部２３２が形成されている。なお、前記舌片状の係合爪２３１は前記ベース部材２０１の下部に形成した係合穴２０１３に嵌合する大きさを有する。
【００２６】
次に、前記取付構造体２０の外扉２への取付けについて図５および図６を用いて説明する。なお、図５および図６においては紙面の左方が外扉２の前面側であり、紙面の右方が外扉２の背面側である。また、図では取付構造体２０には装飾体１０が装着された状態を示している。
【００２７】
先ず、上部固定片２２を外扉２の上部扉枠２Ａにねじにより固着する。ここで、外扉２の上部扉枠２Ａは背面側に向けて下る階段状に形成されており、この上部扉枠２Ａの上段部を跨ぐように前記上部固定片２２を被着し、その際、上部扉枠２Ａに取付けた係合片２Ａ１に上部固定片２２の基板部２２１の係合穴２２１１を嵌合させる。このように上部固定片２２の基板部２２１を上部扉枠２Ａに被着したうえで上部固定片２２の固着部２２３のねじ挿通穴２２３１を介してねじを螺着する。これにより上部固定片２２の基板部２２１が上部扉枠２Ａに密着した状態で固着される（図６の（ａ）参照）。なお、上部扉枠２Ａに取付けた係合片２Ａ１は上部固定片２２が浮き上がるのを抑制する機能を有するものであるが、必ずしも必要なものではない。そして、下部固定片２３についても図６の（ｂ）に示すように外扉２に固着する。この場合、下部固定片２３は、図５の（ｂ）に示すように外扉の背面側から外扉２に組付けられ、舌片状の係合爪２３１が外扉２の外表面に臨むように位置決めしたうえで下部固定片２３の固着部２３２のねじ挿通穴２３２１を介してねじを螺着する。なお、下部固定片２２は外扉２の下部扉枠２Ｂに固着されたレベリングスクリュー１Ａ（自動販売機の底面４隅に設けられた高さ調整用のボルトであり、外扉２の回転支点として兼用される）の取付金具１Ｃにねじ止めされる。
【００２８】
前述したように上部固定片２２を上部扉枠２Ａに固着すると上部固定片２２の係合爪２２２におけるフック（図５参照）が外扉２の外表面に突出しており、この係合爪２２２のフックに支持構造体２１の係合穴２０２１を嵌合させる。この場合、支持構造体２１の上端側を支点として下端側が外扉２の外表面から離れるように回動させると支持構造体２１の係合穴２０２１を上部固定片２２の係合爪２２２のフックに容易に嵌合させることができる。そして、支持構造体２１の下端側を外扉２の外表面に近接させる途上において、支持構造体２１の下部に形成された係合穴２０１３を外扉２の外表面に突出した下部固定片２３の舌片状の係合爪２３１に対峙させたうえで支持構造体２１を外扉２の外表面に密着させる。これにより支持構造体２１が上部固定片２２および下部固定片２３により外扉２の外表面に敷設される。この場合、前記装飾体１０の上下両端の縁部には凹部１４，１５が形成されており、前記凹部１４，１５に上部固定片２２，下部固定片２３が嵌り込むことにより装飾体１０が外扉２の外表面に位置決めされ、かつ、密着するように装着される。なお、下部固定片２３の舌片状の係合爪２３１を自由端（先端）が斜め下方を向くように傾斜させておき、支持構造体２１の係合穴２０１３に嵌め込む際に係合爪２３１が水平若しくは斜め上方を向くように弾性変形させて嵌合させれば、係合爪２３１の復元力により支持構造体２１を良好に敷設することができ、支持構造体２１の寸法誤差や組立誤差を吸収することができる。
【００２９】
前述したように外扉２の外表面に敷設された取付構造体２０に装着された装飾体１０はあたかも外扉２に一体に形成されているような印象を与え、かつ、立体的に形成されていることから三次元的に浮き出すような新たな外観を与えることが可能となり、他の自動販売機との差別化を図ることができる。更に、前記装飾体１０の表面に飲料メーカーを象徴する模様や飲料容器の模様などの象徴的な模様を印刷、若しくは押し出しにより立体的に形成することによりより一層際立たせることが可能となる。
【００３０】
なお、前述した実施の形態の自動販売機においては取付構造体２０の下部固定片２３における舌片状の係合爪２３１の弾性を利用して寸法誤差を吸収することについて説明したが、外扉２の高さ寸法が異なる場合には下部固定片２３自体を板ばね材により形成して「く」字状脚片が大きく開くように形成すれば高さ寸法の異なる複数種類の自動販売機に対しても一種類の取付構造体２０を適用することが可能となる。この場合、取付構造対２０の支持構造体２１（および装飾体１０）の長さは外扉２の高さ寸法が最大の高さ寸法に一致した長さに定められ、外扉２の高さ寸法が短い外扉２に対しては支持構造体２１の下端が外扉２の下端より下方へ延在するが、下部固定片２３の「く」字状脚片が大きく開くことにより舌片状の係合爪２３１が支持構造体２１の係合穴２０１３に係合するので、装飾体１０を外扉２の外表面から浮き上がることなく密着した状態で装着することができる。
【００３１】
また、前述した実施の形態の自動販売機においては取付構造体２０の支持構造体２１をベース部材２０１と取付部材２０２とに分割して係合穴２０２１を形成したものについて説明したが、ベース部材２０１に係合穴２０２１を開口して取付部材２０２を削減することもできる。そして、上部固定片２２および下部固定片２３についても支持構造体２１（ベース部材２０１）に一体に形成することもできるものである。
【００３２】
更に、取付構造体２０の変形例として、支持構造体２１を上下方向に２分割したうえで、両者の間に上下方向の長さ寸法を調整可能な調整手段、例えばボルトやピニオン・ラック機構などを備えることにより高さ寸法の異なる自動販売機に共通に用いることができるものである。
【００３３】
そしてまた、前述した実施の形態の自動販売機においては取付構造体２０に装飾体１０を装着するものについて説明したが、自動販売機を情報発信媒体として利用する場合には、装飾体１０に変えて電光掲示板を用いることができる。この場合、電光掲示板は上下方向に長く延在することから表示する情報量を増やすことができ、情報発信媒体の機能を高めることができる。なお、追加装備品として電光掲示板を用いる際、装飾体１０のように三次元的に浮き出るような構造とする必要がない場合には取付構造体２０における支持構造体２１を薄型のものに置き換えれば良い。
【００３４】
次に、本発明の実施の形態２である自動販売機について説明する。図７は本発明の実施の形態２である自動販売機の主要部である取付構造体の構成を示す部分斜視図である。この実施の形態２に係る自動販売機が実施の形態１に係る自動販売機と相違する点は取付構造体であり、その他の構成は実施の形態１の自動販売機と同一であるので、ここでは取付構造体について随時図１乃至図６を参照しながら説明する。
【００３５】
図において、１０で再び追加装備品としての装飾体を示し、この装飾体１０は合成樹脂の成型品としてなり、図４に示したように、底面が開放した薄い箱型（横断面略コ字状）に形成され、その表面には飲料メーカーを象徴する模様や飲料容器の模様などの象徴的な模様が印刷、若しくは押し出しにより立体的に形成されている。２１０は支持構造体であり、この支持構造体２１０はベース部材２１１と、図ではベース部材２１１に隠れて見えない取付部材２０２（図２参照）とからなる。ベース部材２１１は図２に示した実施の形態１と同様に鋼板製になるとともに鋼板製の取付部材２０２が組付けられて支持構造体２１０を構成している。２３０は外扉２の下端側に固着される下部固定片である。なお、図示を省略したが、上部固定片２２（図３参照）については実施の形態１のものと同一であり、前記支持構造体２１０、上部固定片２２および下部固定片２３０により取付構造体２００が構成される。
【００３６】
前記支持構造体２１０が実施の形態１のものと相違する点はベース部材２１１における上下方向の略中間位置に背面側に向けて切り起こしたフック片２１２（図７の（ｂ）も参照）を設けた点、およびベース部材２１１の下部に開口した係合穴２１３を略Ｔ字状に形成（図７の（ｃ）も参照）した点である。前記フック片２１１は外扉２（図１参照）の前面の上部域に設けられた商品展示室３の下辺に対応する箇所に形成され、後述する商品展示室３を形成する窓穴の周壁を構成するフランジ状の窓枠に形成した係止孔に差し込まれるものである。
【００３７】
また、下部固定片２３０が実施の形態１のものと相違する点は、図８に示すように舌片状の係合爪２３１に左右に張り出す係合片２３１１，２３１１を形成した点である。この係合片２３１１，２３１１はベース部材２１１のＴ字状の係合穴２１３を介して抜き差し可能である。そして、下部固定片２３０は係合片２３１１，２３１１を有する係合爪２３１を前記Ｔ字状の係合穴２１３に対峙させて差し込むことにより支持構造体２１０と一体化するように組付けられる。このように下部固定片２３０を支持構造体２１０に組付けた状態では、図９に示すように係合片２３１１，２３１１が係合穴２１３の穴縁に係合するので下部固定片２３０はベース部材２１１から脱落することがない。なお、図７の（ｃ）では係合爪２３１が水平線に沿うような姿勢に下部固定片２３０がベース部材２１１に組付けられている状態を示しているが、その組付けを容易にするため係合片２３１１，２３１１と係合穴２１３の穴縁との間には多少の隙間が形成されているので、下部固定片２３０から手を離すとその固着部２３２は図示状態よりも下方側の略取付構造体２００の下縁近傍の位置まで下降しているものである。
【００３８】
次に、前記取付構造体２００の外扉２への取付けについて説明すると、この実施の形態２に係る取付構造体２００の外扉２への取付けが実施の形態１の取付構造体２０の外扉２への取付けと異なる点は支持構造体２１０のフック片２１１を外扉２における商品展示室３を形成する窓穴の周壁を構成するフランジ状の窓枠に形成した係止孔に差し込んで係止する点、および支持構造体２１０を構成するベース部材２１１に一体的に組付けられた下部固定片２３０を外扉２の下部扉枠２Ｂに固着する点であり、上部固定片２２の外扉２の上部扉枠２Ａへの取付け、およびこの上部固定片２２の係合爪２２２におけるフックに支持構造体２１の係合穴２０２１を嵌合させて係合させる点は、図５，図６に示した実施の形態１のものと同一であるので、重複する部分はここでは簡単な説明に留める。
【００３９】
先ず、図５および図６に示すように上部固定片２２を外扉２の上部扉枠２Ａにねじにより固着したうえで、上部固定片２２の係合爪２２２におけるフックに支持構造体２１０を構成するベース部材２１１の係合穴２０２１を嵌合させる。この場合、ベース部材２１１の係合穴２０２１を上部固定片２２の係合爪２２２におけるフックに嵌合させる際、支持構造体２１０を上方へ持ち上げてその係合穴２０２１を係合爪２２２のフック先端に嵌め込んだ後、支持構造体２１０を下方にスライド移動させるのであるが、この支持構造体２１０の下方へのスライド移動に先立ち、ベース部材２１１に設けたフック片２１２を外扉２における商品展示室３を形成する窓穴の周壁を構成するフランジ状の窓枠に形成した係止孔に対峙させるとともに支持構造体２１０に一体的に組付けられた下部固定片２３０の固着部２３２を当該下部固定変２３０を弾性変形させて外扉２の下部扉枠２Ｂを乗り越えさせて外扉２の背面側に位置させる。
【００４０】
ここで、商品展示室３を形成する窓穴の周壁を構成するフランジ状の窓枠に形成した係止孔について、図１の（ｂ）のＡ−Ａ断面図である図９を用いて説明する。図９において、外扉２を構成する扉枠２ＡＡの前面には矩形状の窓穴２ＡＢが開口されており、窓穴２ＡＢの周壁（四辺）は背面側に折り曲げてフランジ状の窓枠として構成され、図では四辺の周壁のうち左側の窓枠２ＡＢ１と下側の窓枠２ＡＢ２が示されている。商品展示室３の前面を形成する透明パネル４は外扉２に開口した窓穴２ＡＢを背面側から覆うように配設されるとともにパネル押え金具２ＡＣにより取付けられている。前記パネル押え金具２ＡＣは透明パネル４の周囲を取り囲むように上下左右にそれぞれ設けられ（図では正面視左側のパネル押え金具２ＡＣを示す）、かつ、ディスプレイ室５の内周壁を兼ねて白色塗装が施されている。パネル押え金具２ＡＣは一端（後端）を外扉２の扉枠２ＡＡにねじで固着され、その他端（前端）と扉枠２ＡＢ１・・との間に透明パネル４を挟持固定し、かつ、透明パネル４の周縁に沿って布設したパッキンＰを押圧して外部からの雨滴の浸入を防止している。なお、図において６０は商品選択ボタン６を搭載した商品選択ボタンユニットであり、６１は商品選択ボタンユニット６０の取付金具である。図９において３０は窓穴２ＡＢにおける窓枠のうちの下側の窓枠２ＡＢ２に形成された係止孔であり、この係止孔３０はベース部材２１１のフック片２１２が嵌り込む大きさを有する。
【００４１】
さて、前述したようにベース部材２１１の係合穴２０２１を上部固定片２２における係合爪２２２のフック先端に嵌め込んだ後、支持構造体２１０を下方にスライド移動させるのに先立ち、ベース部材２１１のフック片２１２の先端を前記係止孔３０に対峙させたうえで支持構造体２１０を下方にスライド移動させる。これにより、ベース部材２１１の係合穴２０２１が上部固定片２２の係合爪２２２に係合する一方、ベース部材２１１のフック片２１２が係止孔３０に係止される。この後、下部固定片２３０の固着部２３２を外扉２の下部扉枠２Ｂにねじにより固着すると、取付構造体２００が外扉２の上下端縁にそれぞれ係合して当該外扉２の外表面に敷設され、取付構造体２００に装着された装飾体１０が外扉２の外表面に取付けられる。
【００４２】
この実施の形態２に係る自動販売機によれば、下部固定片２３０の係合爪２３１に左右に張り出す係合片２３１１，２３１１を形成したことにより下部固定片２３０と支持構造体２１０との係合状態が外れるようなおそれがない。また、支持構造体２１０を構成するベース部材２１１のフック片２１２を外扉２の扉枠に係止したことにより支持構造体２１０（取付構造体２００）の上下方向の中間部が外扉２の外表面から浮き上がることがない。ここで、ベース部材２１１のフック片２１２を外扉２の扉枠に係止していない場合には、不心得者が装飾体１０を取外そうと装飾体１０を引っ張った際に装飾体１０が外扉２の外表面から浮き上がるので悪戯心を増長させてしまうのであるが、実施の形態２の自動販売機によれば装飾体１０が外扉２の外表面から浮き上がることがないので悪戯心を喪失させることができる。この場合、ベース部材２１１のフック片２１２を係止する係止孔３０を外扉２の商品展示室３を形成する窓穴の窓枠に形成することによって当該係止孔３０を目立たなくすることができ、追加装備品を装着しない自動販売機の外観を損なうことがない。
【００４３】
なお、実施の形態２においてはベース部材２１１のフック片２１２を係止する係止孔３０を外扉２の商品展示室３を形成する窓穴周囲の窓枠のうちの下側の窓枠に形成したものについて説明したが、前記フック片２１２を適宜折り曲げ構成することにより商品展示室３を構成する窓穴周囲の窓枠のうちの左縁に形成してもよいものである。
【００４４】
前述したとおり本発明によれば、本体キャビネット１の前面を開閉する片開き式の外扉２を備えた自動販売機において、前記外扉２の上下端縁（例えば、上部扉枠２Ａ，下部扉枠２Ｂ）にそれぞれ係合して当該外扉２の外表面に敷設され、かつ、追加装備品（例えば、装飾体１０）が装着される取付構造体２０を備えてなることにより、追加装備品を装着するにあたり、取付構造体２０を外扉２の上下端縁に係合させたうえで、この取付構造体２０に追加装備品を装着させればよい。したがって、追加装備品を簡単に装着することができるとともに追加装備品を交換する場合にも外扉２の外表面の表面塗装を剥がすような損傷を与えることがないという効果を有する。
【符号の説明】
【００４５】
１…本体キャビネット、２…外扉、２Ａ…上部扉枠、２Ｂ…下部扉枠、３…商品展示室、４…透明パネル、５…商品見本、６…商品選択ボタン、７…接客部、１０…装飾体（追加装備品）、２０，２００…取付構造体、２１，２１０…支持構造体、２２…上部固定片、２３，２３０…下部固定片、３０…係止孔、２０１，２１１…ベース部材、２０２…取付部材、２１２…フック片、２０２１、２０１３…係合穴、２ＡＢ…窓穴、２ＡＢ１…窓枠（左側）、２ＡＢ２…窓枠（下側）。
【図１】
2012033133.tif 000003
【図２】
2012033133.tif 000004
【図３】
2012033133.tif 000005
【図４】
2012033133.tif 000006
【図５】
2012033133.tif 000007
【図６】
2012033133.tif 000008
【図７】
2012033133.tif 000009
【図８】
2012033133.tif 000010
【図９】
2012033133.tif 000011